(57)【要約】【課題】使用者が追い炊きの可否を認識することができる貯湯式給湯システムを提供する。【解決手段】貯湯式給湯システム１は、熱源ユニット２と、貯湯タンク６と、浴槽給湯部９２と、追い炊き部１０と、貯湯温度検出部Ｔｈと、制御装置と、表示部とを備える。貯湯タンク６は、熱源ユニット２によって加熱された温水を蓄える。浴槽給湯部９２は、貯湯タンク６に蓄えられた温水を浴槽に供給する。追い炊き部１０は、浴槽に蓄えられた温水を回収して貯湯タンク６に蓄えられた温水と熱交換を行わせた後に浴槽に戻す。貯湯温度検出部Ｔｈは、貯湯タンク６に蓄えられた温水の温度である貯湯温度を検出する。制御装置は、貯湯温度検出部Ｔｈが検出した貯湯温度に基づいて追い炊きの可否を判定する。表示部は、制御装置によって追い炊きが不可能と判定された場合は、追い炊きが不可能であることを示す不可能表示を表示する。【選択図】図１
2007285655.tif 000002
【特許請求の範囲】
【請求項１】
熱源部（２）と、
前記熱源部（２）によって加熱された温水を蓄える貯湯タンク（６）と、
前記貯湯タンク（６）に蓄えられた温水を浴槽に供給する浴槽給湯部（９２）と、
前記浴槽に蓄えられた温水を回収して前記貯湯タンク（６）に蓄えられた温水と熱交換を行わせた後に前記浴槽に戻す追い炊き部（１０）と、
前記貯湯タンク（６）に蓄えられた温水の温度である貯湯温度を検出する貯湯温度検出部（Ｔｈ）と、
前記貯湯温度検出部（Ｔｈ）が検出した前記貯湯温度に基づいて追い炊きの可否を判定する追い炊き判定部（５）と、
前記追い炊き判定部（５）によって追い炊きが不可能と判定された場合は、追い炊きが不可能であることを示す不可能表示を表示する表示部（４２）と、
を備える貯湯式給湯システム（１）。
【請求項２】
前記浴槽に蓄えられる温水の目標温度である浴槽目標温度を設定するための浴槽目標温度設定部（４１）と、
前記浴槽に蓄えられる温水の目標水量である浴槽目標水量を設定するための浴槽目標水量設定部（４１）と、
前記浴槽に蓄えられた温水の温度である浴槽温度を検出する浴槽温度検出部（Ｔｈ６）と、
をさらに備え、
前記追い炊き判定部（５）は、追い炊きを行うことによって上昇させることができる前記浴槽に蓄えられた温水の温度である追い炊き可能温度（ｄＴ）を前記貯湯温度と前記浴槽目標温度と前記浴槽目標水量と前記浴槽温度とから算出し、前記追い炊き可能温度（ｄＴ）に基づいて追い炊きの可否を判定する、
請求項１に記載の貯湯式給湯システム（１）。
【請求項３】
前記追い炊き判定部（５）は、前記追い炊き可能温度（ｄＴ）が、第１範囲と、第１範囲より高温側の第２範囲とのいずれの範囲に属するかを判定し、
前記表示部（４２）は、前記追い炊き可能温度（ｄＴ）が前記第１範囲に属する場合は前記不可能表示を表示し、前記追い炊き可能温度（ｄＴ）が前記第２範囲に属する場合は前記不可能表示と異なる注意表示を表示する、
請求項２に記載の貯湯式給湯システム（１）。
【請求項４】
前記表示部（４２）は、前記追い炊き判定部（５）によって算出された前記追い炊き可能温度（ｄＴ）を表示する、
請求項２または３に記載の貯湯式給湯システム（１）。
【請求項５】
前記貯湯温度検出部（Ｔｈ）は、前記貯湯タンク（６）に蓄えられた温水において高さの異なる複数位置の温度を検出し、
前記追い炊き判定部（５）は、複数の前記貯湯温度に基づいて追い炊きの可否を判定する、
請求項１から４のいずれかに記載の貯湯式給湯システム（１）。
【請求項６】
前記浴槽に蓄えられる温水の目標温度である浴槽目標温度を設定するための浴槽目標温度設定部（４１）をさらに備え、
前記追い炊き判定部（５）は、前記貯湯温度と前記浴槽目標温度との大小関係に基づいて、追い炊きの可否を判定する、
請求項１に記載の貯湯式給湯システム（１）。
【請求項７】
前記貯湯温度検出部（Ｔｈ）は、前記貯湯タンク（６）に蓄えられた温水の温度である第１貯湯温度と、前記貯湯タンク（６）に蓄えられた温水において前記第１貯湯温度よりも低い位置の温度である第２貯湯温度とを検出し、
前記追い炊き判定部（５）は、前記第１貯湯温度が前記浴槽目標温度に所定値を加えた値以下であるか否か、及び、前記第２貯湯温度が前記浴槽目標温度に所定値を加えた値以下であるか否かを判定し、
前記表示部（４２）は、前記第１貯湯温度が前記浴槽目標温度に所定値を加えた値以下である場合には前記不可能表示を表示し、前記第１貯湯温度が前記浴槽目標温度に所定値を加えた値以下ではなく且つ前記第２貯湯温度が前記浴槽目標温度に所定値を加えた値以下である場合は前記不可能表示とは異なる注意表示を表示する、
請求項６に記載の貯湯式給湯システム（１）。
【発明の詳細な説明】
【技術分野】
【０００１】
本発明は、貯湯式給湯システムに関する。
【背景技術】
【０００２】
従来、熱源部と、熱源部によって加熱された温水を蓄える貯湯タンクとを備える貯湯式給湯システムが知られている。この貯湯式給湯システムでは、熱源部によって加熱された温水を貯湯タンクに蓄えておき、必要な時に温水を貯湯タンクから浴槽に供給することができる（特許文献１参照）。
また、このような貯湯式給湯システムには、コントローラーに設けられる液晶モニタ等の表示部に残湯表示が表示されるものがある。残湯表示は、貯湯タンクに蓄えられた温水の温度が給湯に適した所定温度以上である場合に表示され、給湯に使用可能な温水が貯湯タンクにどの程度残っているかを使用者に知らせることができる。
【特許文献１】特開２００４−１３２６５９号公報
【発明の開示】
【発明が解決しようとする課題】
【０００３】
上記のような貯湯式給湯システムにおいて、浴槽に蓄えられた温水を回収して加熱した後に浴槽に戻す追い炊き機能を付与することが考えられる。この場合、貯湯タンクに蓄えられた高温の温水を追い炊きの熱源として利用すれば、熱効率を向上させ、省エネルギー化を図ることができる。
しかし、このように貯湯タンクに蓄えられた温水を熱源として利用する場合、その温度が低いと、回収した浴槽の温水を十分に加熱することができず、追い炊きを行うことができないことがある。ところが、従来の貯湯式給湯システムでは、使用者は、残湯表示によって給湯が可能かどうかを知ることはできるが、追い炊きが可能であるかを知ることはできない。例えば、貯湯タンクに蓄えられた温水の温度が４５℃の場合、給湯するための温度としては適当であるが、追い炊き用の熱源として用いるには低い温度である。このため、このような温度の温水では、回収した浴槽の温水を十分に加熱することができず、給湯が使用可能であっても追い炊きを行うことができない状態が生じる。そして、使用者はこのような状態を認識することができず、追い炊きを行おうと思ったときに追い炊きを行うことができない場合が生じる。
【０００４】
本発明の課題は、使用者が追い炊きの可否を認識することができる貯湯式給湯システムを提供することにある。
【課題を解決するための手段】
【０００５】
第１発明に係る貯湯式給湯システムは、熱源部と、貯湯タンクと、浴槽給湯部と、追い炊き部と、貯湯温度検出部と、追い炊き判定部と、表示部とを備える。貯湯タンクは、熱源部によって加熱された温水を蓄える。浴槽給湯部は、貯湯タンクに蓄えられた温水を浴槽に供給する。追い炊き部は、浴槽に蓄えられた温水を回収して貯湯タンクに蓄えられた温水と熱交換を行わせた後に浴槽に戻す。貯湯温度検出部は、貯湯タンクに蓄えられた温水の温度である貯湯温度を検出する。追い炊き判定部は、貯湯温度検出部が検出した貯湯温度に基づいて追い炊きの可否を判定する。表示部は、追い炊き判定部によって追い炊きが不可能と判定された場合は、追い炊きが不可能であることを示す不可能表示を表示する。
【０００６】
この貯湯式給湯システムでは、追い炊き判定部が貯湯温度に基づいて追い炊きの可否を精度よく判定することができる。そして、追い炊きが不可能であると判定された場合には、不可能表示が表示部に表示されることにより、使用者は追い炊きが不可能であることを認識することができる。これにより、この貯湯式給湯システムでは、使用者が追い炊きの可否を認識することができる。
【０００７】
第２発明に係る貯湯式給湯システムは、第１発明の貯湯式給湯システムであって、浴槽目標温度設定部と、浴槽目標水量設定部と、浴槽温度検出部とをさらに備える。浴槽目標温度設定部は、浴槽に蓄えられる温水の目標温度である浴槽目標温度を設定するための部分である。浴槽目標水量検出部は、浴槽に蓄えられる温水の目標水量である浴槽目標水量を設定するための部分である。浴槽温度検出部は、浴槽に蓄えられた温水の温度である浴槽温度を検出する。そして、追い炊き判定部は、追い炊きを行うことによって上昇させることができる浴槽に蓄えられた温水の温度である追い炊き可能温度を貯湯温度と浴槽目標温度と浴槽目標水量と浴槽温度とから算出し、追い炊き可能温度に基づいて追い炊きの可否を判定する。
この貯湯式給湯システムでは、貯湯温度と浴槽目標温度と浴槽目標水量と浴槽温度とから追い炊き可能温度が算出され、追い炊き可能温度に基づいて追い炊きの可否が判定される。このため、追い炊きの可否の判定精度を向上させることができる。
【０００８】
第３発明に係る貯湯式給湯システムは、第２発明の貯湯式給湯システムであって、追い炊き判定部は、追い炊き可能温度が、第１範囲と、第１範囲より高温側の第２範囲とのいずれの範囲に属するかを判定する。そして、表示部は、追い炊き可能温度が第１範囲に属する場合は不可能表示を表示し、追い炊き可能温度が第２範囲に属する場合は不可能表示と異なる注意表示を表示する。
この貯湯式給湯システムでは、使用者は、追い炊きを行うことができないことを不可能表示によって把握することができるだけではなく、追い炊きが可能ではあるが不十分にしか行えない可能性がある状態を注意表示によって認識することができる。
【０００９】
第４発明に係る貯湯式給湯システムは、第２発明または第３発明の貯湯式給湯システムであって、表示部は、追い炊き判定部によって算出された追い炊き可能温度を表示する。
この貯湯式給湯システムでは、追い炊き可能温度が表示部に表示されることにより、使用者は、追い炊きによって上昇させることができる温水の温度を具体的に把握することができる。
【００１０】
第５発明に係る貯湯式給湯システムは、第１発明から第４発明の貯湯式給湯システムであって、貯湯温度検出部は、貯湯タンクに蓄えられた温水において高さの異なる複数位置の温度を検出する。そして、追い炊き判定部は、複数の貯湯温度に基づいて追い炊きの可否を判定する。
この貯湯式給湯システムでは、複数の貯湯温度に基づいて追い炊きの可否が判定される。貯湯タンク内では高さ位置が異なると温水の温度が異なる傾向があるため、検出される高さ位置の異なる複数の貯湯温度に基づいて追い炊きの可否が判定されることにより、判定精度をより向上させることができる。
【００１１】
第６発明に係る貯湯式給湯システムは、第１発明の貯湯式給湯システムであって、浴槽に蓄えられる温水の目標温度である浴槽目標温度を設定するための浴槽目標温度設定部をさらに備える。そして、追い炊き判定部は、貯湯温度と浴槽目標温度との大小関係に基づいて、追い炊きの可否を判定する。
この貯湯式給湯システムでは、貯湯温度と浴槽目標温度との大小関係に基づいて追い炊きの可否が判定される。このため、追い炊きの可否を簡易に判定することができる。
【００１２】
第７発明に係る貯湯式給湯システムは、第６発明の貯湯式給湯システムであって、貯湯温度検出部は、貯湯タンクに蓄えられた温水の温度である第１貯湯温度と、貯湯タンクに蓄えられた温水において第１貯湯温度よりも低い位置の温度である第２貯湯温度とを検出する。追い炊き判定部は、第１貯湯温度が浴槽目標温度に所定値を加えた値以下であるか否か、及び、第２貯湯温度が浴槽目標温度に所定値を加えた値以下であるか否かを判定する。そして、表示部は、第１貯湯温度が、浴槽目標温度に所定値を加えた値以下である場合には、不可能表示を表示する。また、表示部は、第１貯湯温度が浴槽目標温度に所定値を加えた値以下ではなく、且つ、第２貯湯温度が浴槽目標温度に所定値を加えた値以下である場合は、不可能表示とは異なる注意表示を表示する。
【００１３】
この貯湯式給湯システムでは、使用者は、追い炊きを行うことができないことを不可能表示によって把握することができるだけではなく、追い炊きが可能ではあるが十分に行えない可能性がある状態を注意表示によって認識することができる。また、貯湯タンク内では高さ位置が異なると温水の温度が異なる傾向があるが、検出される高さ位置の異なる第１貯湯温度と第２貯湯温度とに基づいて追い炊きの可否が判定されるため、判定精度を向上させることができる。
【発明の効果】
【００１４】
第１発明に係る貯湯式給湯システムでは、追い炊き判定部が貯湯温度に基づいて追い炊きの可否を精度よく判定することができる。そして、追い炊きが不可能であると判定された場合には、不可能表示が表示部に表示されることにより、使用者は追い炊きが不可能であることを認識することができる。これにより、この貯湯式給湯システムでは、使用者が追い炊きの可否を認識することができる。
【００１５】
第２発明に係る貯湯式給湯システムでは、貯湯温度と浴槽目標温度と浴槽目標水量と浴槽温度とから追い炊き可能温度が算出され、追い炊き可能温度に基づいて追い炊きの可否が判定される。このため、追い炊きの可否の判定精度を向上させることができる。
第３発明に係る貯湯式給湯システムでは、使用者は、追い炊きを行うことができないことを不可能表示によって把握することができるだけではなく、追い炊きが可能ではあるが不十分にしか行えない可能性がある状態を注意表示によって認識することができる。
【００１６】
第４発明に係る貯湯式給湯システムでは、追い炊き可能温度が表示部に表示されることにより、使用者は、追い炊きによって上昇させることができる温水の温度を具体的に把握することができる。
第５発明に係る貯湯式給湯システムでは、複数の貯湯温度に基づいて追い炊きの可否が判定される。貯湯タンク内では高さ位置が異なると温水の温度が異なる傾向があるため、検出される高さ位置の異なる複数の貯湯温度に基づいて追い炊きの可否が判定されることにより、判定精度をより向上させることができる。
【００１７】
第６発明に係る貯湯式給湯システムは、貯湯温度と浴槽目標温度との大小関係に基づいて追い炊きの可否が判定される。このため、追い炊きの可否を簡易に判定することができる。
第７発明に係る貯湯式給湯システムでは、使用者は、追い炊きを行うことができないことを不可能表示によって把握することができるだけではなく、追い炊きが可能ではあるが十分に行えない可能性がある状態を注意表示によって認識することができる。また、貯湯タンク内では高さ位置が異なると温水の温度が異なる傾向があるが、検出される高さ位置の異なる第１貯湯温度と第２貯湯温度とに基づいて追い炊きの可否が判定されるため、判定精度を向上させることができる。
【発明を実施するための最良の形態】
【００１８】
＜第１実施形態＞
本発明の一実施形態に係る貯湯式給湯システム１を図１に示す。この貯湯式給湯システム１は、いわゆるヒートポンプ式の給湯システムであって、熱源ユニット２（熱源部）と、貯湯タンクユニット３と、リモコン４（図４参照）と、制御装置５（図５参照）とを備える。
【００１９】
〔熱源ユニット２〕
熱源ユニット２は、図２に示すように、圧縮機２１、水熱交換器２２、膨張弁２３、蒸発器２４を有しており、これらが順次接続されて冷凍サイクルを構成している。水熱交換器２２には、貯湯タンクユニット３から送られてくる水が通る熱交換水路２５が設けられており、熱交換水路２５を通る水と冷媒との間で熱交換を行うことができる。膨張弁２３は、電気的に制御される電磁弁であり、圧縮機２１と共に後述する制御装置５によって制御される。この熱源ユニット２では、圧縮機２１を駆動して冷媒を循環させることにより、水熱交換器２２を凝縮器として機能させ、熱交換水路２５を通る水を加熱することができる。
【００２０】
〔貯湯タンクユニット３〕
貯湯タンクユニット３は、熱源ユニット２によって加熱された温水を蓄えておき、蓄えた温水を浴槽１２や水栓１１に供給する際に使用することができる装置である。貯湯タンクユニット３は、貯湯タンク６、水源取水部７、沸き上げ部８、給湯部９、追い炊き部１０を有している。
【００２１】
〈貯湯タンク６〉
貯湯タンク６は、熱源ユニット２によって加熱された温水を蓄える。貯湯タンク６の下部には下部取水口６１が設けられており、貯湯タンク６の上部には上部吐出口６２が設けられている。下部取水口６１は、水道等の水源からの冷水を貯湯タンク６内に取り入れるための部分である。上部吐出口６２は、貯湯タンク６に蓄えられた温水を貯湯タンク６から吐出して給湯部９に供給するための部分である。また、貯湯タンク６の下部には下部吐出口６３が設けられており、貯湯タンク６の上部には上部取水口６４が設けられている。下部吐出口６３は、貯湯タンク６内に蓄えられた温水を貯湯タンク６から吐出して沸き上げ部８に供給するための部分である。上部取水口６４は、熱源ユニット２によって加熱された温水を貯湯タンク６内に取り入れるための部分である。また、貯湯タンク６の下部には、下部循環入口６５が設けられ、貯湯タンク６の上部には上部循環出口６６が設けられている。上部循環出口６６は、追い炊き運転時に貯湯タンク６から後述する貯湯タンク循環路１３に吐出される温水が通る出口である。下部循環入口６５は、追い炊き運転時に貯湯タンク循環路１３から貯湯タンク６に戻される温水が通る入口である。
なお、貯湯タンク６の下部には排水口６７が設けられている。排水口６７は、タンク排水路６８に接続されており、貯湯タンク６内から排出される水が通る。
【００２２】
〈水源取水部７〉
水源取水部７は、水源からの冷水を貯湯タンク６や給湯部９に供給するための部分であり、水源取水路７０と、減圧逆止弁７１と、逆止弁７２とを有している。水源取水路７０は、水源に接続される外部取水口７３と、貯湯タンク６の下部取水口６１、水栓給湯部９１の第１混合弁９３（後述）、浴槽給湯部９２の第２混合弁９６（後述）とを繋いでいる。減圧逆止弁７１は、水源取水路７０に設けられており、貯湯タンク６、水栓給湯部９１、浴槽給湯部９２に供給される冷水の量を制御することができると共に、水源への水の逆流を防止する。また、逆止弁７２は、減圧逆止弁７１と、貯湯タンク６の下部取水口６１との間に設けられており、貯湯タンク６からの水の逆流を防止する。
【００２３】
〈沸き上げ部８〉
沸き上げ部８は、貯湯タンク６に蓄えられた水を熱源ユニット２に送り、熱源ユニット２によって加熱された温水を貯湯タンク６に戻す部分である。沸き上げ部８は、第１沸き上げ水路８１、第２沸き上げ水路８２、第３沸き上げ水路８３、沸き上げポンプ８４、三方切替弁８５を有する。第１沸き上げ水路８１は、貯湯タンク６の下部吐出口６３と、熱源ユニット２の熱交換水路２５の上流側とを繋いでいる。第２沸き上げ水路８２と第３沸き上げ水路８３とは、熱源ユニット２の熱交換水路２５の下流側と貯湯タンク６の上部取水口６４とを繋いでいる。沸き上げポンプ８４は、第１沸き上げ水路８１に設けられており、貯湯タンク６から第１沸き上げ水路８１、熱交換水路２５、第２沸き上げ水路８２、第３沸き上げ水路８３を経て貯湯タンク６に戻る水の流れを生成する。三方切替弁８５は第２沸き上げ水路８２と第３沸き上げ水路８３とタンク排水路６８とに接続されている。三方切替弁８５は、電気的に制御される電磁弁であり、第２沸き上げ水路８２と第３沸き上げ水路８３とを接続した状態と、第２沸き上げ水路８２とタンク排水路６８とを接続した状態とに切り替え可能である。
【００２４】
〈給湯部９〉
給湯部９は、貯湯タンク６に蓄えられた温水を水栓１１や浴槽１２に供給する部分であり、給湯路９０と、水栓給湯部９１と、浴槽給湯部９２とを有する。
給湯路９０は、貯湯タンク６の上部吐出口６２と、水栓給湯部９１および浴槽給湯部９２とを繋ぐ水路である。
【００２５】
水栓給湯部９１は、貯湯タンク６の温水や水源からの冷水を水栓１１に供給する部分であり、水栓給湯路９４と第１混合弁９３とを有する。水栓給湯路９４は、第１混合弁９３を介して、給湯路９０と水源取水路７０とに接続されており、給湯路９０および水源取水路７０と水栓１１とを繋ぐ水路である。第１混合弁９３は、電気的に制御される電磁弁であり、給湯路９０と水栓給湯路９４とを接続した状態と、水源取水路７０と水栓給湯路９４を接続した状態とを切り替えることができる。また、第１混合弁９３は、給湯路９０を通ってきた温水と、水源取水路７０を通ってきた冷水とを混合して、所望の温度の温水を水栓給湯路９４に送ることもできる。なお、第１混合弁９３と給湯路９０とが接続される部分には逆止弁９３ａが設けられており、貯湯タンク６への水の逆流が防止されている。また、第１混合弁９３と水源取水路７０とが接続される部分には逆止弁９３ｂが設けられており、水源への水の逆流が防止されている。
【００２６】
浴槽給湯部９２は、貯湯タンク６の温水や水源からの冷水を浴槽１２に供給する部分であり、浴槽給湯路９５と第２混合弁９６と複合水弁９７とを有する。浴槽給湯路９５は、第２混合弁９６を介して、給湯路９０と水源取水路７０とに接続されており、給湯路９０および水源取水路７０と浴槽１２とを繋ぐ水路である。第２混合弁９６は、電気的に制御される電磁弁であり、給湯路９０と浴槽給湯路９５とを接続した状態と、水源取水路７０と浴槽給湯路９５とを接続した状態とを切り替えることができる。また、第２混合弁９６は、給湯路９０を通ってきた温水と、水源取水路７０を通ってきた冷水とを混合して、所望の温度の温水を浴槽給湯路９５に送ることもできる。なお、第２混合弁９６と給湯路９０とが接続される部分には逆止弁９６ａが設けられており、貯湯タンク６への水の逆流が防止されている。複合水弁９７は、流量調整弁９７ａと排水弁９７ｂと逆止弁９７ｃ，９７ｄとが一体化された電磁弁であり、電気的に制御されることにより、浴槽１２に供給される温水の量を調整したり、排水路９８を介して水を外部に排水したりすることができる。
【００２７】
〈追い炊き部１０〉
追い炊き部１０は、浴槽１２に蓄えられた温水を回収して貯湯タンク６に蓄えられた温水と熱交換を行わせた後に浴槽１２に戻す部分であり、貯湯タンク循環路１３と、タンク循環ポンプ１４と、浴槽循環路１５と、浴槽循環ポンプ１６と、追い炊き熱交換部１７とを有している。
【００２８】
貯湯タンク循環路１３は、貯湯タンク６の上部循環出口６６と追い炊き熱交換部１７と下部循環入口６５とを繋ぐ水路である。タンク循環ポンプ１４は、貯湯タンク６の内部から上部循環出口６６を通って吐出され貯湯タンク循環路１３を通り下部循環入口６５を通って貯湯タンク６に戻される水の流れを生成する。浴槽循環路１５は、浴槽１２から回収される水が通る浴槽回収口１２ａと、追い炊き熱交換部１７と、浴槽１２に吐出される水が通る浴槽吐出口１２ｂとを繋ぐ水路である。浴槽循環ポンプ１６は、浴槽１２の内部から浴槽回収口１２ａを通り浴槽循環路１５を通って浴槽吐出口１２ｂから浴槽１２に戻される水の流れを生成する。なお、貯湯タンク循環路１３のうち追い炊き熱交換部１７の下流であり且つ浴槽循環ポンプ１６の上流である部分には、浴槽給湯路９５が接続されている。このため、浴槽給湯部９２によって浴槽１２に供給される温水は、浴槽給湯路９５から浴槽循環路１５に入り、浴槽循環路１５の一部を通って浴槽１２に供給される。
【００２９】
追い炊き熱交換部１７は、貯湯タンク循環路１３を通る高温の温水と、浴槽循環路１５を通る温水との間で熱交換を行わせる。
〈温度検出部および水量検出部〉
貯湯タンクユニット３には、以下に示すような様々な温度検出部および水量検出部が設けられており、上述した水路の各部の温度や水量を検出して後述する制御装置５へと送る。
【００３０】
貯湯タンク６には、貯湯タンク６に蓄えられた温水の温度である貯湯温度を検出する貯湯温度検出部Ｔｈが設けられている。貯湯温度検出部Ｔｈは、頂上部サーミスタＴｈ０と、第１残湯量サーミスタＴｈ１から第５残湯量サーミスタＴｈ５までの５つの残湯量サーミスタとを有している。これらのサーミスタＴｈ０−Ｔｈ５は、貯湯タンク６内において異なる高さに配置されており、貯湯温度検出部Ｔｈは、貯湯タンク６において高さの異なる複数位置の温水の温度を検出することができる。図３の表に示すように、頂上部サーミスタＴｈ０は、貯湯タンク６内において上から０Ｌの水量に相当する位置、すなわち、頂上部に設けられている。第１残湯量サーミスタＴｈ１は、頂上部から５０Ｌの水量に相当する位置に設けられている。第２残湯量サーミスタＴｈ２は、頂上部から１００Ｌの水量に相当する位置に設けられている。第３残湯量サーミスタＴｈ３は、頂上部から１９０Ｌの水量に相当する位置に設けられている。第４残湯量サーミスタＴｈ４は、頂上部から２４０Ｌの水量に相当する位置に設けられている。第５残湯量サーミスタＴｈ５は、頂上部から３００Ｌの水量に相当する位置に設けられている。なお、これらのサーミスタの配置は、貯湯タンク６の容量が３７０Ｌである場合の配置であり、貯湯タンク６の容量が異なれば上記とは異なる位置に配置される。
【００３１】
また、図１に示すように、浴槽循環路１５には、浴槽温度検出部Ｔｈ６と浴槽水量検出部ＳＮ１とが設けられている。浴槽温度検出部Ｔｈ６は、浴槽循環路１５において追い炊き熱交換部１７の上流に配置されたサーミスタであり、浴槽１２に蓄えられた温水の温度である浴槽温度を検出することができる。浴槽水量検出部ＳＮ１は、浴槽１２に残された温水の水位を検出する水位センサであり、浴槽に蓄えられた温水の水量である浴槽水量を検出することができる。
【００３２】
水源取水路７０には、水源から貯湯タンク６に供給される冷水の温度を検出する水源温度検出部Ｔｈ７が設けられている。水栓給湯路９４には、水栓１１に供給される水の温度を検出する水栓給湯温度検出部Ｔｈ８が設けられている。浴槽給湯路９５には、浴槽１２に供給される温水の温度を検出する浴槽給湯温度検出部Ｔｈ９が設けられている。また、複合水弁９７には、浴槽給湯部９２によって浴槽１２に供給される温水の量を検出する浴槽給湯水量検出部ＳＮ２が設けられている。
【００３３】
〔リモコン４〕
リモコン４は、台所や浴室に配置され、図４に示すように、操作部４１と表示部４２とを有している。
操作部４１は、各種の操作ボタンによって構成されており、使用者から各種運転の実行や各種の数値の設定などの入力を受け付ける。各種の運転とは、例えば、浴槽給湯運転、追い炊き運転、沸き増し運転などである。これらの運転の内容については後述する。各種の数値の設定とは、水栓１１へ供給される温水の目標温度である水栓目標温度、浴槽１２に供給される温水の目標温度である浴槽目標温度、浴槽１２に供給される温水の目標水位である浴槽目標水位などである。リモコン４は、操作部４１から入力された運転内容や設定値を制御信号として制御装置５に送る。
【００３４】
表示部４２は、例えば、液晶モニタによって構成されており、操作部４１から入力されて設定された浴槽目標温度や水栓目標温度などの各種の情報を表示する。
また、表示部４２には、残湯量表示４３も表示される。この残湯量表示４３は、貯湯タンク６に残っている温水の量を示すものであり、複数の目盛りで示される。この目盛りは、上述した複数の残湯量サーミスタＴｈ１−Ｔｈ５での検出結果に対応している。具体的には、第１残湯量サーミスタＴｈ１から検出された温度が４５℃以上の場合は一番下の第１目盛りが点灯する。第２残湯量サーミスタＴｈ２から検出された温度が４５℃以上の場合は下から２番目の第２目盛りが点灯する。第３残湯量サーミスタＴｈ３から検出された温度が４５℃以上の場合は下から３番目の第３目盛りが点灯する。第４残湯量サーミスタＴｈ４から検出された温度が４５℃以上の場合は下から４番目の第４目盛りが点灯する。第５残湯量サーミスタＴｈ５から検出された温度が４５℃以上の場合は下から５番目の第５目盛りが点灯する。これらの目盛りが幾つ点灯しているかによって、使用者は貯湯タンク６に残っている４５℃以上の温水の量を把握することができる。
また、所定の条件が満たされた場合には、表示部４２に、追い炊きが不可能であることを示す不可能表示４４（図９（ｂ）参照）や、追い炊きを十分に行うことができない恐れがあることを示す注意表示４５（図９（ａ）参照）が表示される。これらの表示については後に詳述する。
【００３５】
〔制御装置５〕
制御装置５は、熱源ユニット２や貯湯タンクユニット３に分かれて設けられており、マイクロコンピューター、メモリー、通信装置などを有している（図示せず）。制御装置５は、図５に示すように、リモコン４、上述した各種の温度検出部Ｔｈ、Ｔｈ０−Ｔｈ９、水量検出部ＳＮ１，ＳＮ２、各種の電磁弁２３，７１，８５，９３，９６，９７、ポンプ１４，１６，８４、圧縮機２１等と電気的に接続されており、リモコン４からの制御信号、温度検出部Ｔｈ、Ｔｈ０−Ｔｈ９や水量検出部ＳＮ１，ＳＮ２からの検出信号等に基づいて熱源ユニット２や貯湯タンクユニット３の制御を行う。また、制御装置５は、リモコン４の操作部４１での入力内容や、温度検出部Ｔｈ、Ｔｈ０−Ｔｈ９や水量検出部ＳＮ１，ＳＮ２からの検出信号等に基づいて表示部４２に各種の情報を表示させることができる。
【００３６】
以下、制御装置５が熱源ユニット２や貯湯タンクユニット３を制御することによって行われる各種の運転内容について説明する。
沸き上げ運転は、貯湯タンク６に蓄えられた水を熱源ユニット２によって加熱した後に貯湯タンク６に戻すことにより、貯湯タンク６に温水を蓄える運転である。この沸き上げ運転では、沸き上げポンプ８４と圧縮機２１とが駆動される。これにより、貯湯タンク６の下部吐出口６３から貯湯タンク６内の水が吐出され、第１沸き上げ水路８１、熱交換水路２５、第２沸き上げ水路８２、第３沸き上げ水路８３を経て貯湯タンク６に戻る。このとき、水熱交換器２２は凝縮器として機能しており、熱交換水路２５を通る水を加熱する。これにより、貯湯タンク６に温水を蓄えることができる。なお、制御装置５には、使用者による浴槽１２や水栓１１での温水の使用履歴が記憶されており、この使用履歴に基づいて沸き上げ運転が行われる時間帯や貯湯タンク６に蓄えられる温水の量などが決定され、自動的に沸き上げ運転が行われる。ただし、リモコン４の操作部４１によって、沸き上げ運転が行われる時間帯や温水の量を指定することも可能である。
【００３７】
浴槽給湯運転は、貯湯タンク６に蓄えられた温水を浴槽１２に供給して所望の温度および量の温水を浴槽１２に蓄える運転である。この浴槽給湯運転では、浴槽循環ポンプ１６が駆動され、第２混合弁９６と複合水弁９７とが制御されることにより、貯湯タンク６内の温水が、給湯路９０、浴槽給湯路９５、浴槽循環路１５を通って浴槽１２に供給される。このとき、浴槽１２に供給される温水の温度が、設定された浴槽目標温度となるように、第２混合弁９６が制御されて、水源からの冷水と貯湯タンク６からの温水とが混合される。この浴槽給湯運転は、リモコン４の操作部４１が操作されることにより直ちに開始され、又は、リモコン４に予め入力された予約時間に自動的に開始される。そして、浴槽１２の水位が設定された浴槽目標水位に達すると自動的に停止される。
【００３８】
追い炊き運転は、浴槽１２に蓄えられた温水を回収して貯湯タンク６に蓄えられた温水と熱交換を行わせた後に浴槽１２に戻すことにより、浴槽１２に蓄えられた温水の温度を上昇させる運転である。これにより、貯湯タンク６に蓄えられた温水を減少させずに追い炊きを行うことができる。この追い炊き運転では、タンク循環ポンプ１４と浴槽循環ポンプ１６とが駆動されることにより、貯湯タンク６の温水が貯湯タンク循環路１３を循環すると共に、浴槽１２内の温水が浴槽循環路１５を循環する。そして、追い炊き熱交換部１７において、貯湯タンク循環路１３を循環する高温の温水と浴槽循環路１５を循環する温水とが熱交換を行うことにより、浴槽循環路１５を循環する温水が加熱される。この追い炊き運転は、リモコン４の操作部４１が操作されることによって開始され、浴槽１２に蓄えられた温水の温度（浴槽温度）が、設定された浴槽目標温度に達すると停止される。
【００３９】
沸き増し運転は、リモコン４からの指示に基づいて、上記の沸き上げ運転を行う運転であり、リモコン４の操作部４１を操作することにより使用者が任意に行うことができる。例えば、貯湯タンク６に蓄えられた温水が不足している場合に行われることにより、貯湯タンク６に温水を追加することができる。
〔追い炊きの不可能表示４４および注意表示４５〕
上述した追い炊き運転では、貯湯タンク６内の温水が浴槽１２から回収された温水を加熱する熱源として用いられる。このため、貯湯タンク６内の温水の温度が十分に高くない場合には、追い炊きを行うことができないことや、浴槽１２の温水を所望の温度まで加熱することができない恐れがある。この貯湯式給湯システム１では、制御装置５が、貯湯温度に基づいて追い炊きの可否を判定し、追い炊きを行うことができない場合や追い炊きを十分に行うことができない場合には、不可能表示４４や注意表示４５を表示部４２に表示させて使用者に注意を喚起することができる。制御装置５によって行われる追い炊きの可否判定のフローを図６に示す。
【００４０】
まず、第１ステップＳ１において、浴槽目標温度と浴槽目標水位との設定が行われる。ここでは、リモコン４の操作部４１によって浴槽目標温度と浴槽目標水位が入力される。例えば、これらは浴槽給湯運転のために予め入力され、制御装置５のメモリーに記憶される。
第２ステップＳ２および第３ステップＳ３では、貯湯温度と浴槽温度とが検出される。ここでは、貯湯温度検出部Ｔｈおよび浴槽温度検出部Ｔｈ６によって貯湯温度と浴槽温度とが検出される。
【００４１】
第４ステップＳ４では、追い炊き可能温度（ｄＴ）が算出される。ここでは、制御装置５が、追い炊き可能温度（ｄＴ）を貯湯温度と浴槽目標温度と浴槽目標水量と浴槽温度とから算出する。追い炊き可能温度（ｄＴ）とは、浴槽１２に蓄えられた温水を追い炊きを行うことによって上昇させることができる温度である。貯湯温度としては、特に、頂上部サーミスタＴｈ０、第１残湯量サーミスタＴｈ１、および、第２残湯量サーミスタＴｈ２において検出された温度が用いられる。制御装置５には、図７および図８に示すような、追い炊き可能温度テーブルが記憶されており、この追い炊き可能温度テーブルに基づいて追い炊き可能温度（ｄＴ）が算出される。追い炊き可能温度テーブルは、貯湯タンク６に蓄えられている温水が有する熱量によって浴槽１２に蓄えられる温水を何度まで上昇させることができるかを示すものであり、所定範囲の浴槽目標温度、浴槽目標水量、浴槽温度ごとに用意されている。なお、図７および図８において、「０Ｌ温度」とは、頂上部サーミスタＴｈ０によって検出された温度を示している。また、「５０Ｌ温度」は第１残湯量サーミスタＴｈ１によって検出された温度を示しており、「１００Ｌ温度」は第２残湯量サーミスタＴｈ２によって検出された温度を示している。例えば、頂上部サーミスタＴｈ０によって検出された温度が５０℃である場合は、図７の追い炊き可能温度テーブルが用いられる。ここで、第１残湯量サーミスタＴｈ１によって検出された温度が５０℃であり、第２残湯量サーミスタＴｈ２によって検出された温度が４５℃である場合は、追い炊き可能温度（ｄＴ）は２℃であると算出される。また、頂上部サーミスタＴｈ０によって検出された温度が８０℃、第１残湯量サーミスタＴｈ１によって検出された温度が７０℃、第２残湯量サーミスタＴｈ２によって検出された温度が６５℃である場合は、図８に示す追い炊き可能温度テーブルが用いられ、追い炊き可能温度（ｄＴ）は８℃であると算出される。
【００４２】
第５ステップＳ５では、追い炊き可能温度（ｄＴ）に基づいて追い炊きを十分に行えるか否かが判定される。ここでは、第４ステップＳ４で算出された追い炊き可能温度（ｄＴ）が、Ｔ１＜ｄＴ≦Ｔ２を満たすか否かが判定される。例えば、Ｔ１＝１，Ｔ２＝５であり、この場合、上記の条件を満たすことは、１℃を越える追い炊きは可能であるが、５℃を越える追い炊きは不可能であることを示している。上記の条件が満たされる場合は、第６ステップＳ６に進む。この条件が満たされない場合は、第７ステップＳ７に進む。
【００４３】
第６ステップＳ６では、注意表示４５が表示される。ここでは、表示部４２に、図９（ａ）に示すような注意表示４５が表示される。
第７ステップＳ７では、追い炊き可能温度（ｄＴ）が、ｄＴ≦Ｔ１を満たすか否かが判定される。上記の例で言うと、この条件が満たされることは、１℃の追い炊きもできないことを示しており、追い炊きが不可能である状態を示している。この条件を満たす場合は、第８ステップＳ８に進む。
【００４４】
第８ステップＳ８では、不可能表示４４が表示される。ここでは、表示部４２に、図９（ｂ）に示すような不可能表示４４が表示される。
なお、第８ステップＳ８において上記の条件が満たされない場合、すなわちｄＴ＞Ｔ２である場合は、注意表示４５も不可能表示４４も表示されずに終了する。この場合は、上記の例では、５℃を越える追い炊きが可能であることを示している。
なお、上記の不可能表示４４や注意表示４５は、貯湯タンク６内の温水の温度が低下して、不可能表示４４や注意表示４５が表示される上記の条件が満たされたときに自動的に表示される。
【００４５】
〔特徴〕
この貯湯式給湯システム１では、上記のように追い炊き可能温度（ｄＴ）が算出され、追い炊き可能温度（ｄＴ）が、第１範囲（ｄＴ≦Ｔ１）と、第１範囲より高温側の第２範囲（Ｔ１＜ｄＴ≦Ｔ２）と、第２範囲より高温側の第３範囲（ｄＴ＞Ｔ２）とのいずれの範囲に属するかが判定される。そして、その判定結果に応じて、不可能表示４４や注意表示４５が表示部４２に表示される。このため、貯湯タンク６に蓄えられた温水の温度が追い炊きの熱源としては十分ではない場合は、不可能表示４４や注意表示４５が表示されることにより、使用者に注意を喚起することができる。使用者は、不可能表示４４や注意表示４５が表示部４２に表示された場合には、リモコン４を操作して沸き増し運転を行わせ、貯湯タンク６に蓄えられる温水の温度を上昇させることができる。
【００４６】
また、追い炊き可能温度（ｄＴ）は、貯湯温度と浴槽目標温度と浴槽目標水量と浴槽温度とから算出されるため、精度よく追い炊き可能温度（ｄＴ）を算出することができる。特に、貯湯タンク６に蓄えられている温水は、上部ほど温度が高くなり、高さ位置によって温度が異なる傾向があるが、上記の貯湯温度として、頂上部サーミスタＴｈ０、第１残湯量サーミスタＴｈ１、第２残湯量サーミスタＴｈ２から検出された高さの異なる複数位置の温度が利用されるため、貯湯タンク６に蓄えられた温水が有する熱量を精度よく算出することができる。
【００４７】
＜第２実施形態＞
上記の第１実施形態では、制御装置５は、貯湯温度と浴槽目標温度と浴槽目標水量と浴槽温度とから追い炊き可能温度（ｄＴ）を算出して追い炊き可否の判定に用いているが、図１０に示すフローのように、より簡易に判定が行われてもよい。
まず、第１１ステップＳ１１では、浴槽目標温度の設定が行われる。
【００４８】
第１２ステップＳ１２では、貯湯温度が検出される。ここでは、頂上部サーミスタＴｈ０と第１残湯量サーミスタＴｈ１とにおいて第１貯湯温度（Ｔｔ１）と第２貯湯温度（Ｔｔ２）とが検出される。
第１３ステップＳ１３では、第１残湯量サーミスタＴｈ１によって検出された第２貯湯温度（Ｔｔ２）が、浴槽目標温度（Ｔｓ）に所定値（ｂ）を加えた値以下であるか否かが判定される。例えば、ｂ＝５℃であり、この場合、上記の条件が満たされることは、貯湯タンク６の上から５０Ｌの位置における貯湯温度が、浴槽目標温度＋５℃以下であることを示している。上記の条件が満たされる場合は、第１４ステップＳ１４に進み、注意表示４５が表示部４２に表示される。この条件が満たされない場合は第１５ステップＳ１５に進む。
【００４９】
第１５ステップＳ１５では、頂上部サーミスタＴｈ０によって検出された第１貯湯温度（Ｔｔ１）が、浴槽目標温度（Ｔｓ）に所定値（ｂ）を加えた値以下であるか否かが判定される。この条件が満たされる場合、すなわち、上記の例で言えば、貯湯タンク６の頂上部の貯湯温度が浴槽目標温度＋５℃以下である場合は、第１６ステップＳ１６に進み、不可能表示４４が表示部４２に表示される。
【００５０】
なお、第１５ステップＳ１５において上記の条件が満たされない場合、すなわち、Ｔｔ２，Ｔｔ１＞Ｔｓ＋ｂである場合は、注意表示４５も不可能表示４４も表示されない。この場合は、貯湯タンク６に蓄えられた温水の上から５０Ｌまでの部分の温度が、浴槽目標温度よりも５℃以上高いことを示している。
このように、貯湯温度と浴槽目標温度との大小関係に基づいて、より簡易に追い炊きの可否を判定することも可能である。
【００５１】
＜他の実施形態＞
（Ａ）
上記の第１実施形態では、表示部４２は注意表示４５または不可能表示４４を表示しているが、制御装置５によって算出された追い炊き可能温度（ｄＴ）を具体的に表示してもよい。この場合、使用者は、追い炊き可能温度（ｄＴ）をより具体的に把握することができる。
【００５２】
（Ｂ）
上記の実施形態では、追い炊き可能温度（ｄＴ）の算出に追い炊き可能温度テーブルが用いられているが、具体的な計算式や、上記の追い炊き可能温度テーブルに対応した近似式によって追い炊き可能温度（ｄＴ）が算出されてもよい。
（Ｃ）
上記の実施形態では、制御装置５はリモコン４とは別の装置として記載されているが、リモコン４と一体とされたり、リモコン４にその一部が設けられたりするものであってもよい。
【００５３】
（Ｄ）
上記の実施形態では、不可能表示４４や注意表示４５は表示部４２に表示されるマークであるが、ＬＥＤの点灯や音声などで不可能表示４４や注意表示４５が表されてもよい。また、上記のマークの表示と合わせて音声による案内が出力されてもよい。
（Ｅ）
上記の実施形態において、リモコン４は一つに限らず、浴室と台所とのそれぞれにリモコン４が配置されてもよい。
【００５４】
（Ｆ）
上記の実施形態において、不可能表示４４や注意表示４５が表示される条件が満たされる場合は、自動的に沸き増し運転が行われるようにしてもよい。
（Ｇ）
上記の第１実施形態において、浴槽水量検出部ＳＮ１によって検出された浴槽水量が追い炊き可能温度（ｄＴ）の算出にさらに考慮されてもよい。
【００５５】
（Ｈ）
上記の実施形態では、追い炊きの不可能表示４４および注意表示４５が表示部４２に表示されているが、追い炊きが可能であることを示す可能表示が表示部４２にさらに表示されてもよい。
【産業上の利用可能性】
【００５６】
本発明は、使用者が追い炊きの可否を認識することができる効果を有し、貯湯式給湯システムとして有用である。
【図面の簡単な説明】
【００５７】
【図１】貯湯式給湯システムの構成を示す図。
【図２】熱源ユニットの構成を示す図。
【図３】頂上部サーミスタおよび残湯量サーミスタの配置を示す表。
【図４】リモコンの構成を示す図。
【図５】貯湯式給湯システムの制御ブロック図。
【図６】第１実施形態に係る追い炊きの不可能表示と注意表示とを表示するための制御フロー。
【図７】追い炊き可能温度テーブルの一例を示す図。
【図８】追い炊き可能温度テーブルの一例を示す図。
【図９】表示部に表示された不可能表示および注意表示を示す図。
【図１０】第２実施形態に係る追い炊きの不可能表示と注意表示とを表示するための制御フロー。
【符号の説明】
【００５８】
１      貯湯式給湯システム
２      熱源ユニット（熱源部）
５      制御装置（追い炊き判定部）
６      貯湯タンク
１０    追い炊き部
４１    操作部（浴槽目標温度設定部、浴槽目標水量設定部）
４２    表示部
９２    浴槽給湯部
Ｔｈ    貯湯温度検出部
Ｔｈ６  浴槽温度検出部
【図１】
2007285655.tif 000003
【図２】
2007285655.tif 000004
【図３】
2007285655.tif 000005
【図４】
2007285655.tif 000006
【図５】
2007285655.tif 000007
【図６】
2007285655.tif 000008
【図７】
2007285655.tif 000009
【図８】
2007285655.tif 000010
【図９】
2007285655.tif 000011
【図１０】
2007285655.tif 000012